(57)【要約】      （修正有）【課題】端子の取り外し性を改善したコネクタの提供。【解決手段】絶縁ハウジング２００と、複数の端子３００と、を備えるコネクタ１００である。絶縁ハウジング２００は、複数の端子受容溝２１０を備え、各端子受容溝２１０は、壁部２１１と、係止バー２１２を有し、係止バー２１２の両端部２１５，２１７は、壁部２１１と前後方向で接続されており、主部は、左右方向で壁部２１１から分離されている。係止バー２１２は、さらに係止ブロック２１４と係止解除ブロック２１６を備える。各端子３００は、絶縁ハウジング２００の端子受容溝２１０内に組み込まれ、係止部３１４を画定し、係止部３１４は、端子受容溝２１０の係止バー２１２の係止ブロック２１４と嵌合する。本開示の係止解除ブロック２１６の設計は、端子３００を端子受容溝２１０から容易に引き出すことができるようにし、端子３００又は端子受容溝２１０に対して損傷を引き起こさない。【選択図】図４
2019046794.tif 000002
【特許請求の範囲】
【請求項１】
コネクタであって、
複数の端子受容溝を備える絶縁ハウジングであって、各端子受容溝は、前後方向に沿って延在し、壁部と、該壁部に設けられた係止バーと、を有し、該係止バーの２つの端部は、前記前後方向で前記壁部と接続されており、前記係止バーは、前記前後方向に垂直である左右方向で前記壁部から分離されており、前記係止バーが、
前記端子受容溝内に突出している係止ブロックと、
前記絶縁ハウジングの外側に露出し、外向きに突出している係止解除ブロックと、を備える、絶縁ハウジングと、
複数の端子であって、各端子は、前記絶縁ハウジングの端子受容溝内に組み込まれ、各端子は、係止部を画定し、該係止部は、前記端子受容溝の係止バーの係止ブロックによってラッチを留める、端子と、を備えるコネクタ。
【請求項２】
前記係止解除ブロックの先端部が、フックとして形成される、請求項１に記載のコネクタ。
【請求項３】
前記係止バーの係止ブロック及び係止解除ブロックが、前記係止バーの内側の位置及び係止バーの外側の位置にそれぞれ位置付けられている、請求項１に記載のコネクタ。
【請求項４】
前記係止ブロック及び係止解除ブロックが、前記係止バーの中心位置に位置付けられている、請求項３に記載のコネクタ。
【請求項５】
前記絶縁ハウジングの各端子受容溝が、止め壁を更に備え、各端子が、止め部を更に備え、該止め部が、前記止め壁に当接する、請求項１に記載のコネクタ。
【請求項６】
前記止め壁及び係止バーが、上下方向で互いに対向するように位置付けられている、請求項５に記載のコネクタ。
【請求項７】
前記係止ブロックが、前記前後方向に垂直である止め面を有し、前記係止部は、前縁部を有するノッチとして形成され、前記端子が前記端子受容溝から引き出されるとき、前記前縁部を使用して前記止め面に当接して、前記端子に対して後方の移動に制限を課する、請求項１に記載のコネクタ。
【発明の詳細な説明】
【技術分野】
【０００１】
本開示は、コネクタに関し、具体的には、絶縁ハウジングと端子とを備えているコネクタに関する。
【背景技術】
【０００２】
コネクタは、力コネクタなどの電気製品に広く適用されており、導線を接続するために使用される端子と、端子を受容する絶縁ハウジングとを含む。
【０００３】
中国特許出願第９４１０７２４７．９号（米国特許第５，５２０，５４８号に対応する、中国公開特許第１１００２３７Ａ号）は、単純支持梁型端子係止構造を開示し、単純支持梁型端子係止構造は、絶縁ハウジングの端子受容溝内に設けられ、凹部を有し、この凹部を使用して、端子の対応する戻り止めによってラッチを留めて、絶縁ハウジングと端子との係合を実現する。この設計は、従来の絶縁ハウジングの単一カンチレバー型係止構造と比較して、端子に対してより強力な係止力を提供することができる。
【０００４】
他の一般的な従来のコネクタでは、端子が端子受容溝の中に組み込まれた後、端子は、係止突起を使用して端子受容溝にはまり込む。一般的な係止突起は、単一カンチレバー型構造である。したがって、端子が端子受容溝から引き出される必要があるときは、通常、特殊工具を使用して、端子受容溝に挿入して、単一カンチレバー型係止突起を押しのける。しかしながら、特殊工具は、端子と端子受容溝との間に挿入する必要があるので、特殊工具は多くの場合、端子を損傷する、又は単一カンチレバー型係止突起を折ることになる。
【０００５】
更に、上記中国特許出願における係止構造は、他の従来のコネクタのものより強い係止力を有するので、上記中国特許出願に開示された端子を再処理又は再組立てする必要があるとき、上記中国特許出願における係止構造は、端子を引き出すのをより困難にする。
【発明の概要】
【課題を解決するための手段】
【０００６】
本開示の目標は、従来技術における欠点及び欠陥を克服するコネクタを提供することである。
【０００７】
上記目標を達成するために、本開示は、絶縁ハウジングと複数の端子とを備えるコネクタを提供する。絶縁ハウジングは、複数の端子受容溝を備え、各端子受容溝は、前後方向に沿って延在し、壁部と、壁部上に提供される係止バーと、を有し、係止バーの２つの端部は、前後方向で壁部と接続されており、係止バーは、前後方向に垂直である左右方向で壁部から分離されている。係止バーは、端子受容溝内に突出する係止ブロックと、絶縁ハウジングの外側に露出し、外側に突出する係止解除ブロックとを備える。各端子は、絶縁ハウジングの端子受容溝内に組み込まれ、各端子は、係止部を画定し、係止部は、端子受容溝の係止バーの係止ブロックによってラッチを留める。
【０００８】
いくつかの実施形態では、係止解除ブロックの先端部は、フックとして形成される。
【０００９】
いくつかの実施形態では、係止バーの係止ブロック及び係止解除ブロックは、係止バーの内側の位置、及び係止バーの外側の位置にそれぞれ位置付けられている。
【００１０】
いくつかの実施形態では、係止ブロック及び係止解除ブロックは、係止バーの中心位置に位置付けられている。
【００１１】
いくつかの実施形態では、絶縁ハウジングの各端子受容溝は、止め壁を更に備え、各端子は、止め部を更に備え、止め部は、止め壁に当接する。
【００１２】
いくつかの実施形態では、止め壁及び係止バーは、上下方向で互いに対向するように位置付けられている。
【００１３】
いくつかの実施形態では、係止ブロックは、前後方向に垂直である止め面を有し、係止部は、前縁部を有するノッチとして形成され、端子が端子受容溝から引き出されるとき、この前縁部を使用して止め面に当接して端子に対して後方の移動に制限を課する。
【００１４】
本開示の有益な効果は、本開示の実施形態において、コネクタの絶縁ハウジングの各端子受容溝は、係止ブロック及び係止解除ブロックを備える係止バーの設計を有し、そのため端子受容溝内に組み立てられた端子が引き出されるとき、係止バーは、係止解除ブロックを引っ張ることによって弾性変位し、その結果係止ブロックは、端子の係止部から外に移動し、これにより端子を端子受容溝から容易に引き出すことができることである。本開示は従来の方法とは異なる。本開示は、端子を引き出す際に端子受容溝と端子との間に挿入するツールを使用する必要がなく、そのため端子又は端子受容溝に対する損傷を回避することができる。
【００１５】
本開示の技術的特徴及び利点は、以下の詳細な説明をよりよく理解するために、上記のように広く要約される。本開示の特許請求の範囲の技術的解決策を構成する他の技術的特徴及び他の利点を以下に記述する。本開示の当業者は、以下に開示される概念及び特定の実施形態が、本開示と同じ目的を実現するために、他の構成又は製造アプローチを変更又は設計するために容易に使用され得ることを理解するものとする。本開示の技術分野の当業者であれば、このような等価の構成又はアプローチは、添付の特許請求の範囲によって規定される本開示の趣旨及び範囲から逸脱し得ないことも理解するであろう。
【図面の簡単な説明】
【００１６】
本開示の様々な観点は、添付図面に関連して行われる以下の詳細な説明によって最もよく理解することができる。本業界の標準的な実施態様によれば、特徴は尺度どおり描写されていないことに留意されたい。実際には、明確な説明のために、様々な特徴の寸法を任意に拡大又は縮小してもよい。
【００１７】
【図１】本開示の実施形態のコネクタの上面斜視概略図である。
【図２】図１のコネクタの底面斜視概略図である。
【図３】図１のコネクタの線Ａ−Ａに沿って取られた、部分的に拡大された斜視分解概略図である。
【図４】図１のコネクタの線Ａ−Ａに沿って取られた、部分的に拡大された斜視組立概略図である。
【図５】図１のコネクタの底面図である。
【図６】図５のコネクタの線Ｚ−Ｚに沿って取られた、断面概略図である。
【符号の説明】
【００１８】
図中の参照番号は、以下のように表されている。
【００１９】
１００  コネクタ
２００  絶縁ハウジング
２１０  端子受容溝
２１１  壁部
２１２  係止バー
２１３  溝
２１４  係止ブロック
２１５  端部
２１６  係止解除ブロック
２１７  端部
２１８  止め壁
２２０  嵌合係止部
２２２  押圧部
２２４  突出ブロック
３００  端子
３１４  係止部
３２０  止め部
３３０  第１導線挟持部
３３２  第２導線挟持部
２１９  挿入カラム
２６０  下面
２１２２  外側表面
２１２３  中心位置
２１４１  ガイド面
２１４２  止め面
３１４１  前縁部
２４０  後縁部
２５０  上面
２７０  側面
２３０  嵌合端部
３１０  下面
２３１  内壁面
【発明を実施するための形態】
【００２０】
以下の開示内容は、本開示の様々な特徴を実施するために使用される様々な実施形態又は例示を提供する。本開示の開示内容を簡略化するために、特定の例における構成要素及び構成を以下に説明する。これらは確実に単なる例であり、本開示を限定するために使用されるものではない。例えば、以下の説明において、第１の特徴が第２の特徴上又はその上部に形成されることは、第１の特徴及び第２の特徴が互いに直接接触するように形成される実施形態を含んでもよく、他の特徴が第１の特徴と第２の特徴との間に形成され、このため、第１の特徴と第２の特徴は互いに直接接触しない実施形態を含んでもよい。更に、本開示は、異なる例において構成要素の記号及び／又は文字が繰り返されてもよい。繰り返しは、簡略化及び明確化のために使用されるが、様々な実施形態及び／又は考察される構造の間の関係の優位性を示すために使用されるものではない。
【００２１】
更に、本開示は、「下方」、「より低い」、「相対的に低い」、「より高い」、「相対的に高い」などの空間的に対応する用語を使用して、任意の構成要素又は特徴と別の構成要素又は特徴との関係を記述してもよい。空間的に対応する用語は、図に例解する配向の他に、使用又は動作中の装置の様々な配向を含むために使用される。あるいは、装置を配向させてもよく（９０度、他の配向方向に回転させる）、本開示において対応する空間の記述について、対応して説明してもよい。任意の特徴が別の特徴又は基板の上に形成されるとき、それらの間に他の特徴が提示され得ることを理解されたい。
【００２２】
図１は、本開示の実施形態のコネクタ１００の上面斜視概略図である。図２は、図１のコネクタ１００の底面斜視概略図であり、コネクタ１００は、絶縁ハウジング２００と、複数の端子３００と、を備える。図の簡潔さのために、１つの端子３００だけが示されている。図３は、図１のコネクタ１００の線Ａ−Ａに沿って取られた、部分的に拡大された斜視分解概略図である。図４は、図１のコネクタ１００の線Ａ−Ａに沿って取られた、部分的に拡大された斜視組立概略図である。図５は、図１のコネクタ１００の底面図である。図６は、図５のコネクタ１００の線Ｚ−Ｚに沿って取られた、断面概略図である。図１〜図６を参照すると、絶縁ハウジング２００は、嵌合端部２３０及び前後方向Ｄ１に嵌合端部２３０と反対側の後縁部２４０、上下方向Ｄ３の上面２５０及び下面２６０、並びに左右方向Ｄ２の２つの側面２７０を有する。加えて、絶縁ハウジング２００は、嵌合係止部２２０及び複数の端子受容溝２１０を備える。
【００２３】
嵌合係止部２２０は、絶縁ハウジング２００の上面２５０上に一体的に設けられる。嵌合係止部２２０は、突出ブロック２２４及び押圧部２２２を備え、嵌合係止部２２０は、別のコネクタの絶縁ハウジング（図示せず）と嵌合した後に係止又は係止解除するために使用される。
【００２４】
各端子受容溝２１０は、絶縁ハウジング２００の後縁部２４０から嵌合端部２３０へ前後方向Ｄ１に沿って延在し、複数の嵌合カラム２１９は、例示した実施形態では絶縁ハウジング２００の嵌合端部２３０上に形成され、各端子受容溝２１０は、絶縁ハウジング２００の後縁部２４０から対応する嵌合カラム２１９内に延在する。各端子受容溝２１０は、下部に位置付けられた壁部２１１、係止バー２１２、及び止め壁２１８を備える。係止バー２１２は、壁部２１１上に一体に形成され、係止バー２１２の２つの端部２１５、２１７は、前後方向Ｄ１に位置付けられ、壁部２１１と接続し、また係止バー２１２は、壁部２１１から左右方向Ｄ２に分離される。つまり左右方向Ｄ２において、前後方向Ｄ１に延在する２つの溝２１３（図２及び図５に示されるように）が、壁部２１１と係止バー２１２との間に設けられ、そのような構成によって、係止バー２１２は、前及び後端部２１５、２１７を支持点として単純支持梁型係止バー２１２として構成される。単純支持梁型の設計は、端子３００をよりしっかりと端子受容溝２１０内に保持できるようにする係止バー２１２の係止力を増大させることができる。例示した実施形態において係止バー２１２は、下部に位置付けられた壁部２１１上に形成されるが、上部の壁部又はその他の壁部上に設けられるともできる（参照番号によって示されない）。実施形態では、止め壁２１８は、端子受容溝２１０内の係止バー２１２に面する内壁面２３１上に位置付けられ、後方向に面している。更に、実施形態では、止め壁２１８及び係止バー２１２は、上下方向Ｄ３に互いに向き合うように位置付けられ、この設計は、端子３００を端子受容溝２１０内によりバランスよく固定することができるようにする。他の実施形態では、止め壁２１８は、端子受容溝２１０のその他の内壁面に設けられることもできる（参照番号によって示されない）。
【００２５】
係止バー２１２は、係止ブロック２１４及び係止解除ブロック２１６を備える。係止ブロック２１４は、端子受容溝２１０の内側に面する係止バー２１２の内側表面２１２１に設けられ、係止ブロック２１４は、端子受容溝２１０内に突出し、端子３００を係止するために使用される。係止解除ブロック２１６は、端子受容溝２１０と反対側の係止バー２１２の外側表面２１２２に設けられ、また係止解除ブロック２１６は、絶縁ハウジング２００の外側に露出し、外向きに突出している。したがって、端子３００が端子受容溝２１０から引き出される必要があるときは、係止解除ブロック２１６を引っ張ることによって、係止バー２１２は端子受容溝２１０の外側に向かって弾性変位し（下向きに弾性変位する）、次に係止ブロック２１４によって係止された端子３００が係止解除される。
【００２６】
いくつかの実施形態では、係止解除ブロック２１６の先端部は、フック又は引き出し易いその他の任意の形状として形成されてもよく、これにより、ユーザが係止解除ブロック２１６をより容易に引き出せるようになり、次に係止バー２１２が、より容易に外向きに弾性変位することができるようになる。いくつかの実施形態では、係止ブロック２１４及び係止解除ブロック２１６は、係止バー２１２の内側の位置及び係止バー２１２の外側の位置にそれぞれ位置付けられるように構成されており、係止ブロック２１４及び係止解除ブロック２１６は、好ましくは係止バー２１２の中心位置２１２３に位置付けられてもよく、単純支持梁型の係止バー２１２の中心位置２１２３は、より大きな弾性及び変位を有し、その結果、係止ブロック２１４は、係止解除ブロック２１６を引き出す際に、より直接的かつ容易に操作されて変位することができる。止め壁２１８は、端子３００を端子受容溝２１０に組み込むと、端子３００を止めるように構成されており、端子３００の位置決めを支援する。
【００２７】
図３、図４、及び図６を参照すると、各端子３００は、係止部３１４、止め部３２０、第１導線挟持部３３０及び第２導線挟持部３３２を備える。端子３００を端子受容溝２１０に組み込むとき、端子３００は、後側から前側へ前後方向Ｄ１で端子受容溝２１０に挿入され、端子３００の止め部３２０は、端子受容溝２１０の止め壁２１８に当接することになり、止め壁２１８によって止められて、前方の移動に制限を課される。また端子３００の係止部３１４は、端子受容溝２１０の係止バー２１２の係止ブロック２１４によってラッチを留められ、次に後方の移動に制限を課され、その結果、端子３００は、端子受容溝２１０内に組み込まれ、固定される。第１導線挟持部３３０は、外部導線（図示せず）の中心導体部を締め付けるために使用され、第２導線挟持部３３２は、外部導線の絶縁シース部を締め付けるために使用される（本開示の例示した端子３００が導線を締め付けない状態であることに留意されたい）。実施形態において係止部３１４は、端子３００の下面３１０に形成されたノッチであり、当然のことながら、係止部３１４を他の構成及び形状と等価的に変更して、係止ブロック２１４によって係止することができる。具体的には、係止ブロック２１４は、後側から前側にかけて徐々に持ち上がる、傾斜ガイド面２１４１及び直立した（前後方向Ｄ１に垂直である）止め面２１４２を有する。端子３００を挿入すると、傾斜ガイド面２１４１は、端子３００に係止ブロック２１４を押圧させ、次に係止ブロック２１４は、係止バー２１２を外側に弾性変位させ、また係止部３１４によって形成されたノッチの前縁部３１４１が係止ブロック２１４を通過した後、係止バー２１２は弾性的に回復して、係止ブロック２１４が係止部３１４に入り込み、係止部３１４によって形成されたノッチでラッチを留めることができるようにし、また係止部３１４によって形成されたノッチの前縁部３１４１は、係止ブロック２１４の止め面２１４２の前側に位置付けられる。端子３００を後方に引くと、前縁部３１４１は、止め面２１４２に当接して端子３００に対して後方の移動に制限を課する。
【００２８】
上述したように、端子３００が端子受容溝２１０から引き出されるとき、係止バー２１２は、係止解除ブロック２１６を引くことによって端子受容溝２１０の外側に向かって弾性変位し、次に係止ブロック２１４は、端子３００の係止部３１４から外に移動し、端子３００を端子受容溝２１０から容易に引き出すことができるようにする。本開示の設計は、従来の方法と異なり、本開示の設計は、係止解除ブロック２１６が端子受容溝２１０の外側に露出しているので端子受容溝２１０と端子３００との間に挿入するための特別にカスタマイズされたツールを使用する必要がなく、そのため、一般的な又は単純なツールを使用して係止バー２１２を引っ張って端子３００を係止解除することができ、そのツールは、端子受容溝２１０に挿入されず、端子３００に接触しないので、端子３００又は端子受容溝２１０に対する損傷を回避することができる。
【００２９】
いくつかの実施形態の特徴は、当業者が本開示の開示内容の様々な態様をより良好に理解することができるように、上記内容に要約されている。本開示の当業者は、本開示の開示内容が、他の製造アプローチ又は構成を設計又は変更するため、その後、本開示の実施形態と同じ目的を実現し、同じ利点を得るために、容易に使用され得ることを理解されたい。本開示の当業者は、このような等価なアプローチ又は構成が、本開示の開示内容の趣旨及び範囲から逸脱することはできず、また、当業者は、本開示の開示内容の趣旨及び範囲から逸脱することなく、様々な変更、代替及び置換を行うことができることを理解されたい。
【図１】
2019046794.tif 000003
【図２】
2019046794.tif 000004
【図３】
2019046794.tif 000005
【図４】
2019046794.tif 000006
【図５】
2019046794.tif 000007
【図６】
2019046794.tif 000008